(57)【要約】      （修正有）【課題】サイズのコンパクト化、構造の簡素化が可能で、小さな操作力でノズルヘッドを押圧できるエアゾール容器用噴射アダプタを提案する。【解決手段】ノズルヘッド２の上面部に配置され、その天面を操作部とする天板３と、この天板３の両縁部にそれぞれ設けられ、ノズルヘッド２の周壁２ｂに沿って垂れ下がる一対の側板４、５と、側板４、５の各前面側にそれぞれ接続し、エアゾール容器のマウントカップ１ｂの巻締め部に向けて横向きに伸延する一対の腕部６、７と、腕部６、７の各先端につながるとともに巻締め部の内面側に当接して腕部６、７の上向きへの移動を規制する爪部８とを備える。そして、一対の側板４、５の各内壁面と、この各内壁面がそれぞれ面するノズルヘッド２の周壁２ｂとの間に、側板４、５及びノズルヘッド２を相互に連係させ、天板３による側板４、５の後方への傾動によりノズルヘッド２を下方に向けて移動させる連係部９を設ける。【選択図】図１
2014125239.tif 000002
【特許請求の範囲】
【請求項１】
エアゾール容器のノズルヘッドの上面部に配置され、その天面を操作部とする天板と、この天板の両縁部にそれぞれ設けられ、該ノズルヘッドの周壁に沿って垂れ下がる一対の側板と、この一対の側板の各前面側にそれぞれ接続し、前記エアゾール容器のマウントカップの巻締め部に向けて横向きに伸延する一対の腕部と、この一対の腕部の各先端につながるとともに該マウントカップの巻締め部の内面側に当接して該腕部の上向きへの移動を規制する爪部とを備え、
前記一対の側板の各内壁面と、この各内壁面がそれぞれ面する前記ノズルヘッドの周壁との間に、該側板及び該ノズルヘッドを相互に連係させるとともに前記天板による前記側板の後方への傾動により前記ノズルヘッドを下方に向けて移動させる連係部を設けたことを特徴とするエアゾール容器用噴射アダプタ。
【請求項２】
前記連係部は、前記側板の内壁面及び前記ノズルヘッドの周壁のいずれか一方に設けられた縦溝と、他方に設けられ、該縦溝に着脱自在に適合する突起からなることを特徴とする請求項１に記載したエアゾール容器用噴射アダプタ。
【請求項３】
前記連係部は、前記側板の移動する向きに沿う起立姿勢にて配置され、一端が前記側板に連結し、他端が前記ノズルヘッドの周壁に連結した棒状部材からなることを特徴とする請求項１に記載したエアゾール容器用噴射アダプタ。
【請求項４】
前記一対の側板は、前記ノズルヘッドの後方部でその周りに沿って配され、各側板の下端後面側において接続する補強用の連接部材を有することを特徴とする請求項１〜３のいずれか１項に記載したエアゾール容器用噴射アダプタ。
【発明の詳細な説明】
【技術分野】
【０００１】
本発明は、エアゾール容器のノズルヘッドを押圧して該容器内に充填された内容物を噴射させるに際して該ノズルヘッドの押圧を容易ならしめるエアゾール容器用の噴射アダプタに関するものである。
【背景技術】
【０００２】
整髪剤や芳香剤、殺虫剤等の容器として使用されるエアゾール容器は、スプリング等の弾性部材にて支持されその内部通路を内容物の噴射経路とする中空ステムが備えられており、該ステムを押圧し、その下端に設けられたバルブを開放することによって内容物の噴射を可能としている。
【０００３】
前記中空ステムは、その押圧を容易ならしめるため、普通は噴射経路につながる吐出孔をもったノズルヘッドが取り付けられている。しかし、該ノズルヘッドは、サイズが小さく、指によって加える加圧力（操作力）と中空ステムを支持する弾性部材の付勢力が同一直線上に存在していることから加圧にかかる抵抗が大きく、内容物の種類や使用目的に応じ長時間にわたってノズルヘッドを押し続けなければならない場合に指先が痛くなることがある。
【０００４】
上記のような従来の不具合を解消するため、例えば、特許文献１には、ノズルヘッドの押圧を補助する噴射アダプタとして、エアゾール容器の巻回部に固定される台座部と、この台座部において起立する一対の側壁部と、この側壁部の上部において掛け渡され、側壁部を相互に連結する梁部と、この梁部にヒンジを介してつながり、それを通してノズルヘッドを押圧する操作片にて構成されたものが提案されている。
【先行技術文献】
【特許文献】
【０００５】
【特許文献１】特開２００９−１７９３７３号公報
【発明の概要】
【発明が解決しようとする課題】
【０００６】
ところで、上記従来の噴射アダプタは、台座部がエアゾール容器の巻回部のほぼ全域を覆うものであり、しかも、噴射アダプタそのものの破断によって分別廃棄を簡便に行うために台座部の下端から側壁部の上端に至る分割ラインを設けることを不可欠としていることから、使用材料の削減、製造工程の簡略化を図る点においては未だ改善の余地が残されている。
【０００７】
本発明の課題は、サイズのコンパクト化、構造の簡素化が可能であり、かつ比較的軽微な操作力でもって内容物の噴射を可能としたエアゾール容器用噴射アダプタを提案するところにある。
【課題を解決するための手段】
【０００８】
本発明は、上記課題を解決するためになされたものであり、その具体的構成は、エアゾール容器のノズルヘッドの上面部に配置され、その天面を操作部とする天板と、この天板の両縁部にそれぞれ設けられ、該ノズルヘッドの周壁に沿って垂れ下がる一対の側板と、この一対の側板の各前面側にそれぞれ接続し、前記エアゾール容器のマウントカップの巻締め部に向けて横向きに伸延する一対の腕部と、この一対の腕部の各先端につながるとともに該マウントカップの巻締め部の内面側に当接して該腕部の上向きへの移動を規制する爪部とを備え、前記一対の側板の各内壁面と、この各内壁面がそれぞれ面する前記ノズルヘッドの周壁との間に、該側板及び該ノズルヘッドを相互に連係させるとともに前記天板による前記側板の後方への傾動により前記ノズルヘッドを下方に向けて移動させる連係部を設けた点に特徴を有する。
【０００９】
上記の構成からなるエアゾール容器用噴射アダプタにおいては、前記連係部を、前記側板の内壁面及び前記ノズルヘッドの周壁のいずれか一方に設けられた縦溝と、他方（もう一方）に設けられ、該縦溝に着脱自在に適合する突起とによって構成すること（分離型）、また、該連係部を、前記側板の移動する向きに沿う起立姿勢にて配置され、一端が前記側板に連結し、他端が前記ノズルヘッドの周壁に連結した棒状部材によって構成すること（一体型）が、本発明の課題解決のための具体的手段として好ましい。
【００１０】
また、本発明は、前記一対の側板に、前記ノズルヘッドの後方部でその周りに沿って配され、各側板の下端後面側において接続する補強用の連接部材を設けるのが望ましい。
【発明の効果】
【００１１】
上記の構成からなる本発明のエアゾール容器用噴射アダプタによれば、該アダプタを、エアゾール容器のノズルヘッドの上面部に配置される天板と、この天板の両縁部にそれぞれ設けられ、該ノズルヘッドの周壁に沿って垂れ下がる一対の側板と、この一対の側板の各前面側にそれぞれ接続し、エアゾール容器のマウントカップの巻締め部に向けて横向きに伸延する一対の腕部と、この一対の腕部の各先端につながるとともに該マウントカップの巻締め部の内面側に当接して該腕部の上向きへの移動を規制する爪部とを備えたもので構成し、一対の側板の各内壁面と、この各内壁面がそれぞれ面するノズルヘッドの周壁との間に、該側板及び該ノズルヘッドを相互に連係させるとともに天板による前記側板の後方への傾動によりノズルヘッドを下方に向けて移動させる連係部を設けたため、該天板を力点、該爪部を支点、該連係部を作用点とする「てこの原理」によってノズルヘッドを動かすことが可能となり、内容物の噴射に要する操作力の軽減を図ることができる。また、従来構造の噴射アダプタにおいて不可欠であった台座部が不要でサイズのコンパクト化、構造の簡素化も可能となる。
【００１２】
また、本発明のエアゾール容器用噴射アダプタによれば、連係部を、側板の内壁面及びノズルヘッドの周壁のいずれか一方に設けられた縦溝と、他方に設けられ、該縦溝に着脱自在に適合する突起とから構成することにより、側板とノズルヘッドを簡単に連係させることができる。この場合、ノズルヘッドを残したままで噴射アダプタを取り外すことが可能となる。
【００１３】
また、本発明のエアゾール容器用噴射アダプタによれば、連係部を、側板の移動する向きに沿う起立姿勢にて配置され、一端が前記側板に連結し、他端がノズルヘッドの周壁に連結した棒状部材とから構成することにより、側板とノズルヘッドの一体化が可能となり、部品点数の削減を図ることができる。
【００１４】
さらに、本発明のエアゾール容器用噴射アダプタによれば、側板に、ノズルヘッドの後方部でその周りに沿って配され、各側板の下端後面側において接続する補強用の連接部材を設けることにより、該側板の撓みに起因した変形により操作力（ノズルヘッドを下方へ移動させるための力）がノズルヘッドに伝達され難くなるのを回避し得る。
【図面の簡単な説明】
【００１５】
【図１】本発明にしたがう噴射アダプタの実施の形態を、エアゾール容器に装着した状態で示した図（正面図）である。
【図２】図１に示した噴射アダプタの側面を示した図である。
【図３】図１に示した噴射アダプタの平面を示した図である。
【図４】図１〜３に示した噴射アダプタの外観斜視図である。
【図５】図２のＡ−Ａ断面を示した図である。
【図６】内容物の噴射状況の説明図である。
【図７】本発明にしたがう噴射アダプタの他の実施の形態を、エアゾール容器に装着した状態で示した図（正面図）である。
【図８】図７に示した噴射アダプタの側面を示した図である。
【図９】図７のＢ−Ｂ断面を示した図である。
【図１０】図７に示した噴射アダプタの外観斜視図である。
【図１１】内容物の噴射状況の説明図である。
【図１２】本発明に従う噴射アダプタをその平面について示した図である。
【発明を実施するための形態】
【００１６】
以下、本発明を図面を用いてより具体的に説明する。
図１〜４は、本発明にしたがう噴射アダプタの実施の形態をエアゾール容器に取付けた状態（エアゾール容器は、上部のみを部分的に示す）を模式的に示した図であり、図１は、噴射アダプタの正面を示した図であり、図２は、噴射アダプタの側面を示した図、図３は、噴射アダプタのみの平面を示した図であり、さらに、図４は、噴射アダプタの外観斜視図である。なお、噴射アダプタは、合成樹脂を射出成形等の成形手法を適用して製造される。
【００１７】
図１〜４における符号１は、内容物を加圧媒体とともに充填したエアゾール容器である。このエアゾール容器１は、内容物の充填空間Ｍを区画形成する胴体１ａの頂部に開口端を有しており、この開口端に凹状の断面形状をなすマウントカップ１ｂを配置するとともにその縁部を、該開口端の縁部に設けられた環状体１ｃに巻き回して巻締め部を形成することによって固定されるものであって、これにより内容物の充填空間Ｍが気密状態に保持される。
【００１８】
上記マウントカップ１ｂの径方向中央部には、下部に開閉バルブを有し、スプリング等の弾性部材にて支持された起立姿勢の中空ステム１ｄが設けられており（開閉バルブ、弾性部材は図示せず）、該中空ステム１ｄをその軸心に沿って押圧しその下部に設けられた開閉バルブ（プッシュダウンバルブ）を開放することによって容器内の内容物を中空ステム１ｄの内部通路を通して外界へ噴射させる。
【００１９】
２は、中空ステム１ｄの先端に着脱自在に嵌合、保持されたノズルヘッドである。このノズルヘッド２は、天壁２ａと、この天壁２ａの縁部に一体的につながる周壁２ｂと、この周壁２ｂの上部に組み付けられたノズルチップ２ｃからなる。その内部には、ノズルチップ２ｃの吐出孔と中空ステム１ｄの内部通路をつなぐ送給経路が形成されている。ここに、ノズルチップ２ｃが設けられている側を、ノズルヘッド２の前面側、その背面を後面側ということとする。
【００２０】
また、３は、ノズルヘッド２の天壁２ａの上方に配置され、その天面を操作部（指掛け部）とする天板（頭部）である。この天板３はノズルヘッド２の前面側から後面側に向けて漸次厚さを厚くした異厚材にて構成され、これにより、天面に傾斜を付与し指の引っ掛かりを容易にして操作性の改善を図るようになっている。天板３は、異厚材を適用した場合について示したが、板厚が一定になる均一材を用いることも可能であり、この点については限定されない。
【００２１】
また、符号４、５は天板３の両縁部にそれぞれ設けられ、ノズルヘッド２の周壁２ｂに沿って垂れ下がる一対の側板、６、７は、一対の腕部である。この腕部６、７は、一端が側板４、５の下端前面側にそれぞれ接続し、他端（先端）がエアゾール容器のマウントカップ１ｂの巻締め部に向けて横向きに伸延するものであって、この腕部６、７と前記側板４、５とによってＬ字状部材を構成している。なお、腕部６、７は、側板４、５の前面側の下端に接続したものを例として示したが、該側板４、５が傾動可能なものであれば腕部６、７の接続位置は側板４、５の中間部等、任意に変更することが可能であり、図示のものに限定されることはない。また、腕部６、７の伸延する向きについても、水平状態で伸延するもの、あるいは、斜め上方、斜め下方に伸延するもの等を適用することできる。
【００２２】
また、８は、腕部６、７の各先端につながるとともにマウントカップ１ｄの巻締め部の内面側（例えば、下端（オーバーハング部））に当接して該腕部６、７の上向きへの移動を規制する爪部である。
【００２３】
さらに、９は、側板４、５の各内壁面と、この各内壁面にそれぞれ面するノズルヘッド２の周壁２ｂとの間に設けられた連係部である。この連係部９は、図２のＡ−Ａ断面（中空ステム１ｄは省略）を図５に示すように、側板４、５の内壁面に形成した縦溝９ａ、９ｂと、ノズルヘッド２の周壁２ｂに設けられ該縦溝９ａ、９ｂに着脱自在に適合する突起９ｃ、９ｄからなり、この連係部９により、側板４、５とノズルヘッド２との動きが連動する。
【００２４】
縦溝９ａ、９ｂは、下端を切り欠いてその部位を突起９ｃ、９ｄの導入、導出口とする開放部９ｅ、９ｆを設けたものを適用することが可能であり、これにより噴射アダプタの、ノズルヘッド２からの着脱を容易にする。
【００２５】
天板３の天面に指を掛け、該天板３を押し込むと、該天板３につながる側板４、５は図６に示す如く、ノズルヘッド２の後面側へと傾動していく一方、爪部８がマウントカップ１ｂの巻締め部の内面側に当接して腕部６、７の上向きへの移動が規制される。
【００２６】
この状態でさらに力を加えていくと、該側板４、５はさらにその下方へと移動（傾動）していき、ノズルヘッド２は連係部９に引きずられて移動（結果的にノズルヘッド２は押圧された状態になる）することとなり中空ステム１ｄのバルブが開放されてエアゾール容器１内の内容物が噴射される。
【００２７】
上記の構成からなる噴射アダプタは、天板３が力点、爪部８が支点、側板４、５とノズルヘッド２とを連係させる連係部９が作用点となる「てこの原理」を利用したものであり、ノズルヘッド２の下方への移動に必要な力は、ノズルヘッド２に直接指をあてがって押圧する従来のものに比較して小さくてすむ。すなわち、本発明にしたがう噴射アダプタは、操作力と、中空ステム１ｄを支持する弾性部材の付勢力とは同一直線上には存在せず、該弾性部材の付勢力による抵抗が軽減されるものであって、長時間にわたって内容物を噴射する必要があるときにおいても指先に何ら痛みをおぼえることがない。
【００２８】
次に、図７〜１０は、本発明にしたがう噴射アダプタの他の実施の形態を示した図である。この構成の噴射アダプタは、側板４、５の下側域に窓孔１０ａ、１０ｂを設け、この窓孔１０ａ、１０ｂの下辺に下端を一体連結させた起立姿勢の棒状部材１１ａ、１１ｂを配置し、この棒状部材１１ａ、１１ｂの上端を連結片１２ａ、１２ｂを介してノズルヘッド２の周壁２ｂの下端に一体連結したものである。
【００２９】
上記の構成からなる噴射アダプタは、棒状部材１１ａ、１１ｂが連係部９として機能する。
【００３０】
かかる構成の噴射アダプタにおいては、天板３の天面に指を掛け、該天板３を押し込んだ場合に、該天板３につながる側板４、５は図１１に示す如く、それに伴って同じ方向へと傾動し、これと同時に爪部８がマウントカップ１ｃの巻締め部の内面側に当接して腕部６、７の上向きへの移動が規制される。
【００３１】
そして、この状態でさらに操作力が加えられていくと、該側板４、５はその下方へと移動（傾動）していき、ノズルヘッド２は棒状部材１１ａ、１１ｂに引きずられて移動する。
【００３２】
この構成の噴射アダプタにおいては、連係部９として機能する棒状部材１１ａ、１１ｂがノズルヘッド２を下方へ移動させるための作用点となり（力点、支点は上掲図１〜６に示したものと同じ）、その際に必要となる操作力は、ノズルヘッド２に直接指をあてがって押圧する従来のものに比較して小さくてすむことになる。
【００３３】
とくに、この実施の形態で示した噴射アダプタは、ノズルヘッド２と一体化を図った単一物にて構成できるため、部品点数の削減を図るのに有利となる。
【００３４】
なお、棒状部材１１ａ、１１ｂは、側板４、５とノズルヘッド２の周壁２ｂの相互間に位置させてもよく、この場合、側板４、５に形成される窓孔１０ａ、１０ｂは省略される。
【００３５】
ノズルヘッド２の後面側（後方部）には、その周りに沿って配され、側板４、５の下端後面側に接続する図１２に示すようなアーチ状の連接部材１３を設けることができる。
【００３６】
この連接部材１３によれば、ノズルヘッド２を下方へ移動させる際に付加される操作力によって側板４、５に撓みが生じることがあっても側板４、５の相互間隔を一定に保持することができ、これにより、ノズルヘッド２を確実に移動させて中空ステム１ｄのバルブを開放することが可能となる。
【００３７】
連係部９については、縦溝９ａ、９ｂと突起９ｃ、９ｄとから構成されるもの、あるいは棒状部材１１ａ、１１ｂから構成されるものを例として示したが、側板４、５とノズルヘッド２とを相互に連係させることができるものであれば、上記のものに限定されることはなく、その形態は適宜変更することができる。
【００３８】
本発明にしたがう噴射アダプタは、軸心に沿って中空ステム１ｄを押し込むことによって内容物の噴射を可能とするプッシュダウンバルブを備えたエアゾール容器に適用することができる他に、中空ステムそのものを傾動させて内容物の噴射を可能とする、いわゆるティルトバルブを備えたエアゾール容器への適用も可能であり、適用するエアゾール容器のタイプの違いによって規制を受けることはない。
【産業上の利用可能性】
【００３９】
本発明によれば、コンパクト化、構造の簡素化を可能とし、かつ、比較的小さな操作力でもってノズルヘッドを効率的に押圧して内容物を噴射させ得るエアゾール容器用噴射アダプタを提供することができる。
【符号の説明】
【００４０】
１      エアゾール容器
１ａ    胴体
１ｂ    マウントカップ
１ｃ    環状体
１ｄ    中空ステム
２      ノズルヘッド
２ａ    天壁
２ｂ    周壁
２ｃ    ノズルチップ
３      天板
４、５  側板
６、７  腕部
８      爪部
９      連係部
９ａ、９ｂ  縦溝
９ｃ、９ｄ  突起
９ｅ、９ｆ  開放部
１０ａ、１０ｂ  窓孔
１１ａ、１１ｂ  棒状体
１２ａ、１２ｂ  連結片
１３      連接部材
【図１】
2014125239.tif 000003
【図２】
2014125239.tif 000004
【図３】
2014125239.tif 000005
【図４】
2014125239.tif 000006
【図５】
2014125239.tif 000007
【図６】
2014125239.tif 000008
【図７】
2014125239.tif 000009
【図８】
2014125239.tif 000010
【図９】
2014125239.tif 000011
【図１０】
2014125239.tif 000012
【図１１】
2014125239.tif 000013
【図１２】
2014125239.tif 000014